(57)【要約】【課題】プラントを構成する機器の固有の情報である機器情報及び機器の過去における点検の情報である点検情報を表示装置に表示可能であるプラント監視制御システム及びプラント監視方法を提供する。【解決手段】本実施形態に係るプラント監視制御システムは、複数の機器を有するプラントにおける各機器の状態情報を監視し、各制御信号によって各機器を制御するプラント監視制御システムであって、プラント監視制御システムが備えるプラント監視装置は、通常モードと、各機器を保守するための保守モードと、を切り替え可能であり、プラント監視装置が保守モードへ切り替えられている場合に、プラント監視装置は、表示装置に表示された各機器の中から選択された機器の機器情報及び点検情報を保守サーバから呼び出して表示装置に表示する。【選択図】図５
2018194899.tif 000002
【特許請求の範囲】
【請求項１】
プラントが有する各機器の状態情報を監視し、前記監視の結果に応じて作られる各制御信号によって前記各機器を制御するプラント監視制御システムであって、
前記各機器の状態情報を監視するプラント監視装置と、
前記各制御信号によって前記各機器を制御する制御装置と、
前記各機器の固有の情報である機器情報と、前記各機器の過去における点検の情報である点検情報とを、前記各機器に関連付けて格納した保守サーバと、
前記プラント監視装置からの画像信号に基づいて、前記各機器と、前記各機器の状態情報とを関連付けて表示する表示装置と、
を備え、
さらに、前記プラント監視装置は、通常の動作制御を行う通常モードと、前記各機器を保守するための保守モードと、を切り替え可能に構成され、
前記プラント監視装置が前記保守モードへ切り替えられている場合に、前記プラント監視装置は、前記表示装置に表示された前記各機器の中から選択された機器に対応する前記機器情報及び前記点検情報を前記保守サーバから呼び出して前記表示装置に表示するものとして構成されている、プラント監視制御システム。
【請求項２】
前記プラント監視装置は、
前記各機器と、前記各機器の状態情報とを関連付けた画面を前記表示装置に表示させる第１情報表示部と、
前記選択された機器に対応する前記機器情報及び前記点検情報を前記保守サーバから呼び出して前記表示装置に表示させる第２情報表示部と、
を有する請求項１に記載のプラント監視制御システム。
【請求項３】
前記第２情報表示部は、前記選択された機器が複数ある場合に、当該複数機器の一覧画面を前記表示装置に表示させ、前記複数機器の一覧画面の中から選択された機器の前記機器情報及び前記点検情報を前記前記表示装置に表示させる請求項２に記載のプラント監視制御システム。
【請求項４】
前記第１情報表示部は、前記画面上の前記状態情報に対応する領域に、前記機器を識別する識別情報を関連付けており、
前記第２情報表示部は、前記選択された機器に対応する前記領域に関連付けられた前記識別情報を用いて、前記機器情報及び前記点検情報を前記表示装置に表示させる請求項２又は３に記載のプラント監視制御システム。
【請求項５】
前記第１情報表示部は、前記機器の接続状態を示す系統図と系統図内の複数機器に関するプロセス値を状態情報として表示する系統画面を生成し、
前記通常モードに切り替えられている場合に、前記状態情報に対応する当該系統画面上の領域が選択されると、前記第１情報表示部は当該領域に関連付けられた機器を操作するために用いる操作画面を前記表示装置に表示させ、
前記保守モードに切り替えられている場合に、前記状態情報に対応する前記系統画面上の領域が選択されると、前記第２情報表示部は当該領域に関連付けられた機器情報及び点検情報を前記表示装置に表示させる請求項４に記載のプラント監視制御システム。
【請求項６】
前記第１情報表示部は、前記プラントを構成する複数機器内の少なくとも一つの機器の状態が所定の範囲を超えた場合に、当該所定の範囲を超えた機器の機器名と機器の状態を示す警報項目を状態情報として表示する警報画面を生成し、
前記保守モードに切り替えられている場合に、前記状態情報に対応する領域としての前記警報項目が選択されると、前記第２情報表示部は当該警報項目に関連付けられた機器の機器情報及び点検情報を前記表示装置に表示させる請求項４に記載のプラント監視制御システム。
【請求項７】
前記第１情報表示部は、前記プラントに関連する装置を構成する少なくとも一つの機器の異常の有無を示す情報を状態情報として表示するシステム監視画面を生成し、
前記保守モードに切り替えられている場合に、前記状態情報に対応する当該システム監視画上の領域が選択されると、前記第２情報表示部は当該領域に関連付けられた機器の機器情報及び点検情報を前記表示装置に表示させる請求項４に記載のプラント監視制御システム。
【請求項８】
前記第１情報表示部は、前記プラントを構成する複数機器内の少なくとも一つの機器における接点変換の時刻を示すイベント項目を状態情報として表示するイベントログ画面を生成し、
前記保守モードに切り替えられている場合に、前記状態情報に対応する領域としてのイベント項目が選択されると、前記第２情報表示部は当該イベント項目に関連付けられた機器の機器情報及び点検情報を前記表示装置に表示させる請求項４に記載のプラント監視制御システム。
【請求項９】
前記第１情報表示部は、前記プラントを構成する複数機器内の少なくとも一つの機器のプロセス値の時系列グラフを状態情報として表示するアナログトレンド画面を生成し、
前記通常モードに切り替えられている場合に、当該アナログトレンド画面上の領域が選択されると、前記第１情報表示部は当該選択に対応する時刻のプロセス値を前記表示装置に表示させ、
前記保守モードに切り替えられている場合に、前記状態情報に対応する領域としての前記アナログトレンド画面が選択されると、前記第２情報表示部は前記アナログトレンド画面に関連付けられた機器の機器情報及び点検情報を前記表示装置に表示させる請求項４に記載のプラント監視制御システム。
【請求項１０】
前記第２情報表示部は、前記機器及び当該機器の部品のうちのいずれかが、前回交換日からの使用経過日が当該機器の所定の日数を超えると前記保守サーバにより出力される寿命ガイダンスに基づき、前記一覧画面を介して警報を表示装置に表示させる請求項３に記載のプラント監視制御システム。
【請求項１１】
前記プラント監視装置は、前記複数機器の一覧画面に表示される機器のいずれかの状態が所定の範囲を超えた場合に、他の機器との表示形態を変更して前記複数機器の一覧画面に表示させる請求項３に記載のプラント監視制御システム。
【請求項１２】
前記プラント監視装置は、前記系統画面内に表示される機器のいずれかの状態が所定の範囲を超えた場合に、前記保守モードに切り替える保守モード切替部を前記系統画面に表示させる請求項５に記載のプラント監視制御システム。
【請求項１３】
プラントが有する各機器の状態情報を監視し、前記監視の結果に応じて作られる各制御信号によって前記各機器を制御するプラント監視制御システムであって、
前記各機器の状態情報を監視するプラント監視装置と、
各制御信号によって前記各機器を制御する制御装置と、
前記各機器の固有の情報である機器情報と、前記各機器の過去における点検の情報である点検情報と、を前記各機器と関連付けて格納した保守サーバと、
前記プラント監視装置からの表示指示情報に基づいて、前記表示指示情報に対応する各種の情報を表示する、表示装置と、
を備え、
前記プラント監視装置は、表示指示信号に従って前記各機器を示す一覧画面を表示するものとして構成され、前記一覧画面中の前記機器を選択することにより、前記保守サーバから前記機器情報及び前記点検情報を呼び出して前記表示装置に表示させるものとして構成されている、プラント監視制御システム。
【請求項１４】
複数の機器を有するプラントにおける前記各機器と前記各機器の状態情報とを関連付けて表示装置に表示させるステップと、
前記表示装置に表示する情報のモードを前記各機器の保守モードに切り替えるステップと、
前記表示装置に表示された前記各機器の中から機器を選択するステップと、
前記選択された機器の固有の情報である機器情報と、前記選択された機器の過去における点検の情報である点検情報と、を前記表示装置に表示させるステップと、
を備えるプラント監視方法。
【発明の詳細な説明】
【技術分野】
【０００１】
本発明の実施形態は、プラント監視制御システム及びプラント監視方法に関する。
【背景技術】
【０００２】
プラント監視制御システムは一般に、プラントを構成する各機器の状態情報を監視し、運転員の操作に従ってこれら各機器を制御する機能を有している。このプラントは、例えば排水処理を行うプラントであり、配管、弁、ポンプ、攪拌機、ろ過器などの各機器で構成されている。
【０００３】
また、プラント監視制御システムが監視しているこれら各機器に性能低下や故障などが発生し、これら各機器の状態情報に変化が生じる場合がある。このような場合、運転員は修理、復旧などを行うために、これら各機器の仕様や、各機器の部品情報などが記載される冊子などを参照し、各機器の状態変化の原因を調査する必要がある。ところが、冊子などの記載を参照するのに時間がかかると、修理、復旧などにより多くの時間を要し、プラントの稼働率の低下を招いてしまう恐れがある。
【先行技術文献】
【特許文献】
【０００４】
【特許文献１】特開２００３−５８０１号公報
【発明の概要】
【発明が解決しようとする課題】
【０００５】
本実施形態の目的は、プラントを構成する機器の固有の情報である機器情報及び機器の過去における点検の情報である点検情報を表示装置に表示可能であるプラント監視制御システム及びプラント監視方法を提供することにある。
【課題を解決するための手段】
【０００６】
本実施形態に係るプラント監視制御システムは、複数の機器を有するプラントにおける前記各機器の状態情報を監視し、前記監視の結果に応じて作られる各制御信号によって前記各機器を制御するプラント監視制御システムであって、
前記各機器の状態情報を監視するプラント監視装置と、
前記各制御信号によって前記各機器を制御する制御装置と、
前記各機器の固有の情報である機器情報と、前記各機器の過去における点検の情報である点検情報とを、前記各機器に関連付けて格納した保守サーバと、
前記プラント監視装置からの画像信号に基づいて、前記各機器と、前記各機器の状態情報とを関連付けて表示する表示装置と、
を備え、
さらに、前記プラント監視装置は、通常の動作制御を行う通常モードと、前記各機器を保守するための保守モードと、を切り替え可能に構成され、
前記プラント監視装置が前記保守モードへ切り替えられている場合に、前記プラント監視装置は、前記表示装置に表示された前記各機器の中から選択された機器に対応する前記機器情報及び前記点検情報を前記保守サーバから呼び出して前記表示装置に表示するものとして構成されている。
【０００７】
本実施形態に係るプラント監視制御システムは、複数の機器を有するプラントにおける前記各機器の状態情報を監視し、前記監視の結果に応じて作られる各制御信号によって前記各機器を制御するプラント監視制御システムであって、
前記各機器の状態情報を監視するプラント監視装置と、
各制御信号によって前記各機器を制御する制御装置と、
前記各機器の固有の情報である機器情報と、前記各機器の過去における点検の情報である点検情報と、を前記各機器と関連付けて格納した保守サーバと、
前記プラント監視装置からの表示指示情報に基づいて、前記表示指示情報に対応する各種の情報を表示する、表示装置と、
を備え、
前記プラント監視装置は、表示指示信号に従って前記各機器の全ての機器の番号を示す一覧画面を表示するものとして構成され、前記一覧画面中の機器の番号を選択することにより、前記保守サーバから前記機器情報及び前記点検情報を呼び出して前記表示装置に表示させるものとして構成されている。
【０００８】
本実施形態に係るプラント監視方法は、複数の機器を有するプラントにおける前記各機器と前記各機器の状態情報とを関連付けて表示装置に表示させるステップと、
前記表示装置に表示する情報のモードを前記各機器の保守モードに切り替えるステップと、
前記表示装置に表示された前記各機器の中から機器を選択するステップと、
前記選択された機器の固有の情報である機器情報と、前記選択された機器の過去における点検の情報である点検情報と、を前記表示装置に表示させるステップと、
を備える。
【発明の効果】
【０００９】
本発明によれば、プラントを構成する機器の固有の情報である機器情報及び機器の過去における点検の情報である点検情報を表示装置に表示可能であるプラント監視制御システム及びプラント監視方法を提供することができる。
【図面の簡単な説明】
【００１０】
【図１】プラント監視制御システムの全体構成を示すブロック図。
【図２】プラント監視装置が表示装置に表示させる画面の一例を示す図。
【図３】表示装置の表示モードが通常モードに切り替えられた場合の動作例を示す図。
【図４】表示装置に表示される個別機器情報画面の一例を示す図。
【図５】図１で示したプラント監視制御システムのより詳細な構成例を示すブロック図。
【図６】機器情報一覧画面表示機能が生成した部分的な機器情報一覧画面の一例を示す図。
【図７】プラント監視制御システムの処理の一例であるフローチャートを示す図。
【図８】第２実施形態に係るプラント監視制御システムの構成を示すブロック図。
【図９】第３実施形態に係るプラント監視制御システムの構成を示すブロック図。
【図１０】第４実施形態に係るプラント監視制御システムの構成を示すブロック図。
【図１１】第５実施形態に係るプラント監視制御システムの構成を示すブロック図。
【図１２】第６実施形態に係るプラント監視制御システムの構成を示すブロック図。
【図１３】機器情報一覧画面表示機能が系統画面内に器情報一覧画面表示ボタンを表示させている図。
【図１４】機器情報一覧画面表示機能が生成した機器情報一覧画面の一例を示す図。
【図１５】第７実施形態に係るプラント監視制御システムの構成を示すブロック図。
【発明を実施するための形態】
【００１１】
以下、図面を参照しながら、実施形態に係るプラント監視制御システムを説明する。なお、以下の説明において、同等の機能及び構成を有する構成要素については、同一符号を付し、必要な場合を除き説明を省略する。
【００１２】
（第１実施形態）
（構成）
まず、図１に基づいて、プラント監視制御システム１０００の全体構成を説明する。図１は、プラント監視制御システム１０００の全体構成を示すブロック図である。この図１に示すように、本実施形態に係るプラント監視制御システム１０００は、プラント監視装置１と、制御装置２と、プロセス入出力装置３と、保守サーバ４と、表示装置５とを、備えて構成されている。プラント監視制御システム１０００は、例えば排水処理を行うシステムであり、プラントを構成する複数の機器Ｍを監視するとともに、複数の機器Ｍの制御を行う。プラント監視装置１と、制御装置２、プロセス入出力装置３、保守サーバ４、及び表示装置５のそれぞれとは、例えば通信ネットワークにより接続されている。
【００１３】
プラント監視装置１は、例えばコンピュータにより構成されており、プラントを構成する複数の機器Ｍの状態情報を表示装置５に表示させるとともに、これら複数の機器Ｍを制御するための制御信号を生成する機能を有している。プラント監視装置１の具体的な構成は後述する。
【００１４】
制御装置２は、例えばＰＬＣ（Ｐｒｏｇｒａｍａｂｌｅ  Ｌｏｇｉｃ  Ｃｏｎｔｒｏｌｌｅｒ）により構成されており、プラント監視装置１からの制御信号に従い、後述のプロセス入出力装置３を介してプラントを構成する機器Ｍの制御を行う。また、制御装置２は、プロセス入出力装置３から入力された複数の機器Ｍのプロセス値をプラント監視装置１に出力する。
【００１５】
プロセス入出力装置３は、プラントを構成する複数の機器Ｍから入力されたプロセス値を制御装置２に出力する。プロセス入出力装置３は、複数の機器Ｍから入力されたプロセス値をデジタル値に変換したり、正規化したりする機能を有している。すなわち、本実施形態によるプロセス入出力装置３は、例えば正規化したデジタルのプロセス値を制御装置２に出力する。なお、本実施形態に係るプロセス値は、正規化したデジタルのプロセス値を用いるがこれに限定されず、複数の機器Ｍの出力したアナログデータ、複数の機器Ｍの出力値を所定の物理量に変換した値などもプロセス値に含まれる。
【００１６】
プラントを構成する複数の機器Ｍは、プロセス値をプロセス入出力装置３へ出力する。このプロセス値は、上述のように、複数の機器Ｍにおける状態を示す状態情報の一例である。例えば、プロセス値は、水圧、流入水量、流出水量、温度、水位、特定の物質の濃度、電力、電圧、回転数などを示す値である。これら複数の機器Ｍは、例えば、センサ（水圧計、流量計、温度計、水位計、電力計、電圧計など）、ポンプ、弁であるが、これらに限定されない。なお、図１は実施形態の概念を示すものであるため、センサ、ポンプ、及び弁のそれぞれを１つのみ示しているが、実際は、センサ、ポンプ、及び弁でのそれぞれは複数存在している。例えば、プラント監視装置１が１系統内で監視及び制御するセンサ、ポンプ、及び弁のそれぞれは、約１００台である。
【００１７】
保守サーバ４は、例えばコンピュータであり、プラントを構成する複数の機器Ｍの固有
の情報である機器情報及び複数の機器Ｍの過去における点検の情報である点検情報をそれぞれの機器Ｍの番号をキーとして各機器Ｍと紐付けした状態に格納している。すなわち、この保守サーバ４は、プラントを構成する複数の機器Ｍの固有の情報である機器情報及び複数の機器Ｍの過去における点検の情報である点検情報をそれぞれの機器Ｍの識別情報と関連付けて記憶している。ここで、機器情報は機器仕様等を含む情報で有り、点検情報は、点検日等を含む情報である。
【００１８】
表示装置５は、例えば液晶表示モニターであり、数字、文字、図形、映像などを表示する。この表示装置５は、プラント監視装置１からの表示指示情報に基づいて、表示指示情報に対応する各種の情報を表示する。例えば、表示装置５は、プラント監視装置１から入力された画像信号を用いて、各機器Ｍと各機器Ｍの状態情報とを関連付けて表示する。
【００１９】
また、表示装置５は、１画面に限らず、複数の画面を有していてもよい。例えば、プラント監視制御システム１０００の運転員が目視で監視できる範囲に、複数の液晶表示モニターを配置してもよい。この場合、表示装置５は、複数の液晶表示モニターで構成されている。
【００２０】
ここで、本実施形態に係る状態情報は、機器Ｍの状態を示す情報である。この状態情報には、例えばプロセス値、複数の機器Ｍの稼働状態を示す情報などが含まれる。複数の機器Ｍの稼働状態を示す情報には、例えば機器Ｍのｏｎ／ｏｆｆ状態を示す情報、開閉状態を示す情報などが含まれる。さらに、本実施形態に係る状態情報には、例えば警報に関する情報、異常の有無を示す情報、警報発生および接点変換などのイベントに関する情報などが含まれる。
【００２１】
次に、図２乃至４に基づき、本実施形態に係るプラント監視装置１の表示画面に関して説明する。図２は、プラント監視装置１（図１）が表示装置５（図１）に表示させる画面の一例を示す図である。この図２に示すように、プラント監視装置１は、表示画面を選択する選択ウィンドウ１００を表示装置５に表示させ、運転員による選択ウィンドウ１００の選択に従い表示画面を変更する。すなわち、この選択ウィンドウ１００は、系統画面を選択するウィンドウ１００Ａ、警報画面を選択するウィンドウ１００Ｂ、システム監視画面を選択するウィンドウ１００Ｃ、イベントログ画面を選択するウィンドウ１００Ｄ、及びアナログトレンド画面を選択するウィンドウ１００Ｅで構成されている。例えば、運転員が操作入力機能８（図１）を介して、選択ウィンドウ１００の中からウィンドウ１００Ａを選択すると、系統画面５０が表示される。すなわち、図２では、系統画面が選択されている。ここでの選択は、例えば操作入力機能８に接続されるスイッチボタン、マウス、キーボード、トラックボール、等からの操作信号により実現される。
【００２２】
また、プラント監視装置１が表示装置５に最初に表示させる初期画面、つまりデフォルト画面は、例えば警報画面に設定されている。これにより、運転員は、まず警報画面内の警報情報を確認することが可能である。例えば運転員は、警報画面に新規な警報情報がなければ、系統画面、警報画面、システム監視画面、イベントログ画面、及びアナログトレンド画面の中から監視に用いる画面を選択することが可能である。なお、本実施形態では、初期画面、すなわちデフォルト画面を警報画面に設定しているが、これに限定されず、例えば系統画面５０などを初期画面としてもよい。
【００２３】
また、表示装置５の画面内には、選択ウィンドウ１００が常に表示されている。このため、運転は、系統画面、警報画面、システム監視画面、イベントログ画面、及びアナログトレンド画面の中のいずれかの画面を監視している場合にも、他の画面に変更することができる。
【００２４】
また、この図２に示すように、保守モード切替えスイッチ１０２が系統画面５０内に表示されている。すなわち、この保守モード切替えスイッチ１０２は通常モード選択ウィンドウ１０２Ａと、保守モード選択ウィンドウ１０２Ｂとを備えている。運転員が操作入力機能８を介して通常モード選択ウィンドウ１０２Ａを選択すると、表示装置５（図１）に表示される情報の表示モードが通常モードに切り替えられる。一方で、運転員が操作入力機能８を介して保守モード選択ウィンドウ１０２Ｂを選択すると、表示装置５に表示される情報の表示モードが保守モードに切り替えられる。
【００２５】
また、プラント監視装置１（図１）が表示装置５（図１）に表示させる画面の初期モード、つまりデフォルトのモードは通常モードに設定されている。これにより、運転員は、最初に系統画面５０に切り替えた場合、通常モードを選択しなくとも、通常モード時の画面操作を行うことが可能である。さらにまた、表示装置５の画面中には、保守モード切替えスイッチ１０２が常に表示されている。このため、運転員は、通常モード及び保守モードの中のいずれかの画面を監視している場合にも、他のモードに変更することができる。
【００２６】
この図２に示すように、系統画面５０内には、例えばプラントを構成する機器であるポンプ１Ａ、弁１Ａ、ポンプ１Ｂ、弁１Ｂの接続状態を示す系統図、及びこれらポンプ１Ａ、弁１Ａ、ポンプ１Ｂ、弁１Ｂの状態情報が表示される。ここでの状態情報は、これらポンプ１Ａ、ポンプ１Ｂ、弁１Ａ、及び弁１Ｂに関するプロセス値２００Ａ〜２００Ｄであり、系統画面内にリアルタイムに表示される。また、状態情報であるプロセス値２００Ａ〜２００Ｄにそれぞれ対応する領域として点線で示すウィンドウ２００Ｅ〜２００Ｈが示されている。
【００２７】
ここで、図２に示す系統図は、ポンプ１Ａ及び弁１Ａが直列に接続され、ポンプ１Ｂ及び弁１Ｂが直列に接続され、更にポンプ１Ａ及び弁１Ａとポンプ１Ｂ及び弁１Ｂとが並列に接続されていることを表している。また、ポンプ１Ａ、１Ｂに関しては、プロセス値である水圧２００Ａ、２００Ｂが状態情報としてリアルタイムに表示され、弁１Ａ、１Ｂに関しては、プロセス値である流出水量２００Ｃ、２００Ｄが状態情報としてリアルタイムに表示されている。
【００２８】
このように運転員は、系統画面５０を監視することで、プラントを構成する機器Ｍの運転状態を把握することが可能である。運転員は、状態情報に変動などがなければ、例えば選択ウィンドウ１００を介して、系統画面５０をイベントログ画面やアナログトレンド画面に変更し、他の状態情報を更に確認することができる。
【００２９】
一方で、図２において、状態情報２００Ａ〜２００Ｄに変動等がある場合に、運転員は例えばウィンドウ２００Ｅ〜２００Ｈのいずれかを選択する。ここでは、初期モードとして通常モードが選択されているので、系統画面５０に表示される機器の動作制御を行うことが可能である。これにより、大きな故障が発生する前に機器の出力を弱めたり、機器を停止させたりすることが可能である。
【００３０】
すなわち、図３は、表示装置５（図１）に表示させる情報の表示モードが通常モードである場合の動作例を示す図である。この図３に示すように、通常モードの場合、通常運転時の動作制御が系統画面５０を介して行われる。例えば、操作入力機能８（図１）を介して弁１Ａの状態情報である流出水量２００Ｃに対応するウィンドウ２００Ｇ内の領域が運転員により選択されると、ウィンドウ２００Ｇに関連付けられた弁１Ａの操作画面２０４が第１情報表示機能６（図１）により表示される。このように、状態情報２００Ａ〜２００Ｄに対応するウィンドウ２００Ｅ〜２００Ｈが運転員により選択されると、選択されたウィンドウ２００Ｅ〜２００Ｈに関連付けられた機器の操作画面２０４が第１情報表示機能６（図１）により表示される。この操作画面２０４内の開ウィンドウが、さらに運転員により操作入力機能８を介して選択されると、弁１Ａを開状態にする制御信号がプラント監視装置１（図１）から制御装置２（図１）に出力される。一方で、閉ウィンドウが運転員により選択されると、弁１Ａを閉状態にする制御信号がプラント監視装置１から制御装置２に出力される。このように、通常モードでは、運転員は、操作入力機能８を介して状態情報２００Ａ〜２００Ｄに対応するウィンドウ２００Ｅ〜２００Ｈの選択を行うことで、ウィンドウ２００Ｅ〜２００Ｈにそれぞれ関連付けられた機器の操作画面２０４を表示装置５に表示させることが可能である。
【００３１】
一方で、図２においてモードが保守モードに切り替えられると、保守に関する動作制御が系統画面５０を介して行われる。例えば、操作入力機能８（図１）を介して弁１Ａの状態情報である流出水量２００Ｃに対応するウィンドウ２００Ｇ内の領域が運転員により選択されると、ウィンドウ２００Ｇ内の領域に関連付けられた弁１Ａに関する個別機器情報画面５２が図４に示すように表示装置５（図１）に表示される。
【００３２】
すなわち、図４は、表示装置５に表示される個別機器情報画面５２の一例を示す図である。ここでは、弁１Ａ（図３）に関する個別機器情報画面５２の一例を示している。
【００３３】
再び図２に示すように、運転員は、操作入力機能８（図１）を介して状態情報２００Ａ〜２００Ｄに対応するウィンドウ２００Ｅ〜２００Ｈの選択が可能であり、選択したウィンドウ２００Ｅ〜２００Ｈに関連付けられた機器Ｍの機器情報及び点検情報を表示装置５に表示させることができる。これにより、運転員は、表示装置５に表示される状態情報に対応させて、表示装置５の画面上で機器Ｍの機器情報及び点検情報を確認することができる。
【００３４】
また、保守モード切替えスイッチ１０２を介して通常モードと保守モードとの間を切り替えられるので、同一の画面を用いて機器の制御動作と保守動作との間の切り替えをプラント監視装置に行わせることができ、プラント監視装置における通常モードと保守モードとの間の切り替え操作の操作性が向上する。
【００３５】
なお、図３に示すように、操作入力機能８を介して状態情報２００Ａ〜２００Ｄのそれぞれに対応する領域として、状態情報を示している枠２００Ａ〜２００Ｄ内を選択してもよい。この場合、状態情報２００Ａ〜２００Ｄのそれぞれを選択すればよいので、より直接的に状態情報２００Ａ〜２００Ｄのそれぞれに対応する機器情報及び点検情報を選択することが可能である。或いは、枠２００Ｅ〜２００Ｈを弁やポンプのシンボルの外縁に設定してもよい。この場合、弁やポンプのシンボルを選択すればよいので、より直感的に領域を選択することが可能である。
【００３６】
次に、本実施形態に係るプラント監視装置１の具体的な構成を説明する。再び図１を参照して説明すると、プラント監視装置１は、例えば、ＣＰＵ（Ｃｅｎｔｒａｌ  Ｐｒｏｃｅｓｓｉｎｇ  Ｕｎｉｔ）、メモリ、及び各種の入出力回路により構成されており、ＣＰＵは、例えばメモリに格納されているプログラムを読み込んで実行することにより、各処理機能や制御を実現する。これにより、本実施形態に係るプラント監視装置１は、第１情報表示機能６と、保守モード切替機能７と、操作入力機能８と、第２情報表示機能９と、データ入出力機能１０とを備えて構成される。
【００３７】
第１情報表示機能６は、複数の機器Ｍ内の少なくとも一つの機器の状態を示す状態情報を表示装置５に表示させる。例えば、第１情報表示機能６は、制御装置２から供給される情報を用いて、複数の機器Ｍの状態情報を示す画面として、系統画面、警報画面、システム監視画面、イベントログ画面、及びアナログトレンド画面を生成する。また、本実施形態に係る第１情報表示機能６は、系統画面、警報画面、システム監視画面、イベントログ画面、及びアナログトレンド画面内の状態情報に対応する領域に複数の機器Ｍ内のいずれかの識別情報を予め関連付けている。例えば図２に示す系統画面５０では、状態情報２００Ａ〜２００Ｄはプロセス値であり、この状態情報２００Ａ〜２００Ｄに対応するウィンドウ２００Ｅ〜２００Ｈ内に、機器Ｍを識別する識別情報が予め関連付けられている。
【００３８】
ここで、機器Ｍを識別する識別情報は、例えば機器Ｍを示す固有の情報であれば、任意の番号や符号でよい。なお、本実施形態に係る機器Ｍを識別する識別情報は、任意の符号と番号を用いて構成され、機器の番号と呼ばれる。例えばポンプ１Ａを示すウィンドウ２００Ｅ内には機器の番号としてｐ１Ａが関連付けられ、ポンプ１Ｂを示すウィンドウ２００Ｆ内には機器の番号としてｐ１Ｂが関連付けられ、弁１Ａを示すウィンドウ２００Ｇ内には機器の番号としてｂ１Ａが関連付けられ、弁１Ｂを示すウィンドウ２００Ｈ内には機器の番号としてｂ１Ｂが関連付けられている。
【００３９】
再び図１に示すように、保守モード切替機能７は、表示装置５の表示モードを通常モードと保守モードとの間の切り替えを行う。第２情報表示機能９は、例えば図３に示すように、操作入力機能８を介して弁１Ａのウィンドウ２００Ｇ内が運転員により選択されると、ウィンドウ２００Ｇ内に関連付けられた弁１Ａの機器の番号ｂ１Ａを用いて、弁１Ａの機器情報及び点検情報を保守サーバ４から読み出し、個別機器情報画面５２（図４）を表示装置５（図１）に表示させる。また、図４に示すように、機器仕様に関する機器情報には、例えば機器の番号、機器Ｍの型式、定格仕様、機器Ｍの平均故障時間、機器Ｍの平均寿命時間、機器Ｍを構成する部品のうち寿命部品の型式、これら寿命部品の平均寿命時間、機器Ｍの状態ランプの説明、機器Ｍの製造年月日、プラントにおける機器Ｍの稼働開始日、機器Ｍの写真、同型式機器Ｍの過去トラブルの情報、機器Ｍの予備品の数量、機器Ｍの予備品の保管場所、機器Ｍの過去の点検、交換日などがある。また、点検に関する点検情報には、例えば機器Ｍの過去の点検日、部品の交換日、機器Ｍの過去の点検内容、及び実績などがある。  
なお、図４に示すように、本実施形態では、機器Ｍの機器情報及び点検情報の双方を表示装置５（図１）に表示させているが、これに限らず、機器Ｍの機器情報及び点検情報のうちのいずれか一方を表示させてもよい。また、表示装置５の一画面に系統画面５０（図２）を表示させ、これとは別の画面に個別機器情報画面５２（図４）を表示させてもよい。これにより、各種の情報を同時に把握することが可能である。
【００４０】
再び図１に示すように、操作入力機能８は、上述のように、トラックボール、スイッチボタン、マウス、キーボード等からの入力によって各種の操作入力を実現させる。操作入力機能８は、例えば運転員の操作に従い表示装置５に表示される状態情報に対応する領域である枠内（図２）、すなわちウィンドウ２００Ｅ〜２００Ｈ内を選択する。
【００４１】
このように、運転員は、プラントを構成する機器Ｍの状態をより多くの情報から把握可能になる。例えば、機器Ｍの稼働開始日と機器Ｍの寿命から機器Ｍの劣化が進んでいるか把握可能である。また、例えば機器Ｍの交換日から日数がたっていない場合には、交換作業において何らかの問題が生じてしまった可能性を把握できる。さらにまた、表示装置５の同一画面を介して通常モードへの切り替えを行えるので、機器情報及び点検情報の確認をした後での機器Ｍに対する動作制御の操作性を損なうこともない。これらのことから分かるように、運転員は、通常の運転時に使用する系統画面５０（図３）上に示される状態情報に対応させて機器情報及び点検情報を参照できるので、機器Ｍの運転中に監視対象の機器Ｍの状態をより多くの情報から把握できる。また、状態情報に対応する機器情報や点検情報が、冊子などのドキュメント内を探さずとも、プラント監視装置１の画面の選択操作により簡易に入手できる様になり、調査時間が大幅に短縮される。これにより、運転員が行う機器Ｍの修理、復旧作業などをより効率的に行え、修理、復旧作業などの時間をより短縮できる。このように、運転中に監視対象である機器Ｍの機器情報及び点検情報を参照できるので、運転員の利便性が向上される。
【００４２】
次に、図５に基づき本実施形態に係るプラント監視制御システム１０００のより詳細な構成を説明する。図５は、図１で示したプラント監視制御システム１０００のより詳細な構成例を示すブロック図である。図１と同等な構成には同一の番号を付して説明を省略する。上述のように、プラント監視装置１は、第１情報表示機能６と、保守モード切替機能７と、操作入力機能８と、第２情報表示機能９と、データ入出力機能１０とを備えて構成されている。
【００４３】
まず、第１情報表示機能６について説明する。図５に示すように、第１情報表示機能６は、系統画面表示機能１１と、警報画面表示機能１２と、システム監視画面表示機能１３と、イベントログ表示機能１４と、アナログトレンド表示機能１５とを備えている。
【００４４】
系統画面表示機能１１は、制御装置２から入力される複数の機器Ｍの情報を用いて、例えば上述した系統画面５０（図２）を生成する。系統画面５０内には、複数の機器Ｍの接続状態を示す系統図と系統図内の複数の機器Ｍのプロセス値とが表示される。
【００４５】
警報画面表示機能１２は、制御装置２から入力される複数の機器Ｍの警報情報を用いて、警報画面を生成する。警報画面は、機器Ｍの状態が所定の範囲を超えたことを示す画面である。警報画面は、例えば機器Ｍの状態情報であるプロセス値が予め定められた閾値を超えた場合に生成される。警報画面表示機能１２は、例えば異常の発生した機器名、異常の内容、及び異常の程度の情報が機器Ｍ毎に警報項目として生成する。すなわち、警報画面には、機器Ｍの状態情報として、異常の内容、及び異常の程度の情報が表示される。なお、本実施形態に係る警報項目が機器の状態情報に対応する。
【００４６】
システム監視画面表示機能１３は、制御装置２から入力されるプラント監視装置１、制御装置２、プロセス入出力装置３、及び保守サーバ４内の機器との通信情報を用いて、プラント監視制御システム１０００の構成に関するシステム監視画面を生成する。システム監視画面には、プラント監視装置１、制御装置２、プロセス入出力装置３、及び保守サーバ４を構成する複数の機器の状態情報として、異常の有無を示す情報が表示される。また、このシステム監視画面内には、プラント監視装置１、制御装置２、プロセス入出力装置３、及び保守サーバ４を構成する複数の機器の状態情報に対応する機器も表示される。このように、警報画面の監視対象が複数の機器Ｍであるのに対し、システム監視画面の監視対象がプラント監視装置１、制御装置２、プロセス入出力装置３、及び保守サーバ４を構成する複数の機器である点で相違する。なお、本実施形態におけるプラント監視装置１、制御装置２、プロセス入出力装置３、及び保守サーバ４内の機器は、プラントを構成する複数の機器の一形態である。また、本実施形態に係る異常の有無を示す情報がプラントを構成する機器Ｍの状態情報に対応する。
【００４７】
イベントログ表示機能１４は、制御装置２から入力される情報を用いて、警報発生、接点変換などのイベントを時系列に並べたイベントログ画面を生成する。このイベントログ画面には、プラント監視制御システム１０００内で自動的に発生したイベントに加え、運転員が手動で行ったイベントがイベント項目として時系列に表示される。具体的には、イベントログ表示機能１４は、イベント項目内に、イベント発生日時、イベントの名称、状態を示すステータスなどの情報を表示する。なお、本実施形態に係るイベント項目がプラントを構成する機器Ｍの状態情報に対応する。
【００４８】
アナログトレンド表示機能１５は、制御装置２から入力される各プロセス値を時系列グラフとして表示するアナログトレンド画面を生成する。アナログトレンド表示機能１５が生成するアナログトレンド画面は、短期的な監視に用いられ、例えば２日間保存される。なお、本実施形態に係るアナログトレンド画面がプラントを構成する機器Ｍの状態情報に対応する。
【００４９】
次に、第２情報表示機能９について説明する。図５に示すように、第２情報表示機能９は、機器情報取得機能１８Ｂと、機器情報一覧画面表示機能１８Ｃと、個別機器情報画面表示機能１８Ｄと、を備える。機器情報取得機能１８Ｂは、運転員に選択された領域に関連付けられた機器Ｍの機器の番号を用いて機器情報及び点検情報を保守サーバ４から取得し、個別機器情報画面表示機能１８Ｄに出力する。
【００５０】
機器情報一覧画面表示機能１８Ｃは、領域に関連付けられた機器Ｍが複数ある場合に、全体の機器Ｍの中から領域に関連付けられた機器Ｍの情報を抜粋した機器情報一覧画面５４を表示装置５に表示させる。図６は、機器情報一覧画面表示機能１８Ｃが生成した部分的な機器情報一覧画面５４の一例を示す図である。この図６に示すように、本実施形態に係る機器情報一覧画面表示機能１８Ｃは、更に機器情報一覧画面５４の中の機器の領域が操作入力機能８を介して運転員により選択されると、選択された領域に関連付けられた機器の番号を機器情報取得機能１８Ｂに出力する。
【００５１】
再び図５に戻り、個別機器情報画面表示機能１８Ｄは、機器の番号を用いて機器情報取得機能１８Ｂを介して保守サーバ４から機器情報及び点検情報を読み込み、個別機器情報画面５２（例えば図４）を生成する。
【００５２】
次に、データ入出力機能１０に関してより詳細に説明する。データ入出力機能１０は、監視装置通信機能１６と記憶機能とを備えている。監視装置通信機能１６は、例えば入出力回路で構成されており、通信ネットワークを介して制御装置２及び保守サーバ４と通信を行う。記憶機能は、例えばメモリで構成されており、監視装置通信機能１６を介して入出力するデータを記憶する。具体的には、記憶機能は、系統画面表示機能１１が使用するデータであるプロセス入出力現在値データ１０１０、警報画面表示機能１２が使用するデータである警報現在値データ１０２０、システム監視画面表示機能１３が使用するデータであるシステム監視現在値データ１０３０、イベントログ表示機能１４が使用するデータであるイベントログデータ１０４０、アナログトレンド表示機能１５が使用するアナログトレンドデータ１０５０、個別機器情報画面表示機能１８Ｄが使用する機器Ｍ及び点検情報データ１０６０を記憶している。
【００５３】
制御装置２は、プロセス入出力信号処理機能２１と、警報処理機能２２と、システム監視処理機能２３と、運転機能２４と、制御装置処理機能２５とを備えて構成されている。本実施形態に係るプロセス入出力信号処理機能２１は、プロセス入出力装置３か入力されたプロセス値を所定の物理量に変換する。
【００５４】
警報処理機能２２は、プロセス入出力装置３か入力されたプロセス値に基づき、警報情報を生成する。例えば、各プロセス値には閾値が設定されており、警報処理機能２２は、プロセス値が閾値を超えた日時、閾値を超えた機器Ｍ名などを警報情報として生成する。この警報情報は、警報画面表示機能１２に供給され、警報画面を生成するための情報として用いられる。
【００５５】
システム監視処理機能２３は、プラント監視装置１、保守サーバ４、及びプロセス入出力装置３を構成する機器Ｍと通信を定期的に行い、システム監視情報を生成する。例えば、システム監視処理機能２３は、プラント監視装置１、保守サーバ４、及びプロセス入出力装置３を構成する機器に異常が生じた日時、異常が生じた機器名などをシステム監視情報として生成する。このシステム監視情報は、システム監視画面表示機能１３に供給され、システム監視画面を生成するための情報として用いられる。運転機能２４は、プラント監視装置１から入力された制御信号に基づき、機器Ｍの制御を行う。制御装置処理機能２５は、通信ネットワークを介してプラント監視装置１と通信を行う。
【００５６】
プロセス入出力装置３は、プロセス入出力処理機能３１を備えている。プロセス入出力処理機能３１は、機器Ｍの測定値を取得する。本実施形態に係るプロセス入出力処理機能３１は、例えばセンサの出力である４〜２０ｍＡのアナログ値を０〜１００００のデジタル値に変換する。なお、本実施形態では、プロセス値として０〜１００００に正規化した値を用いているが、これに限らず、正規化しない値をプロセス値として用いてもよい。
【００５７】
保守サーバ４は、記憶機能４０と、機器および点検情報入出力機能４１と、保守サーバ通信機能４３とを備えている。記憶機能４０は、例えばメモリにより構成され、機器情報データ４０１と点検情報データ４０２を記憶している。機器および点検情報入出力機能４１は、保守サーバ４通信機能を介して機器および点検情報をプラント監視装置１に供給する。保守サーバ通信機能４３は、通信ネットワークを介してプラント監視装置１と通信を行う。
【００５８】
（作用）
以上が第１実施形態に係るプラント監視制御システム１０００の構成の説明であるが、以下に第１実施形態に係るプラント監視制御システム１０００における処理の一例を説明する。
【００５９】
図７は、プラント監視制御システム１０００の処理の一例であるフローチャートを示す図である。ここでは、図２に示す選択ウィンドウ１００のウィンドウ１００Ａが運転士により操作入力機能８（図１）を介して選択され、系統画面５０に切り替えられた場面に関して説明する。上述のように、デフォルトのモードは通常モードであるので、系統画面５０に切り替えられた際に、保守モード切替機能７（図５）によりモードも通常モードに切り替えられている（ステップＳ１００）。ここでは、運転士は、更に保守モード切替えスイッチ１０２（図２）を介して保守モードに変更可能である。
【００６０】
次に、第１情報表示機能６の系統画面表示機能１１（図５）は、初期画面である系統画面５０（図２）を生成し、表示装置５に表示する（ステップＳ１０２）。ここでは、ウィンドウ２００Ｅ〜２００Ｈのいずれも選択されていないので、通常モードに切り替えられた場合も、保守モードに切り替えられた場合も系統画面（図２）が引き続き表示されている。
【００６１】
次に、表示モードが通常モードである場合に（ステップＳ１０４：Ｙｅｓ）、運転員がウィンドウ２００Ｅ〜２００Ｈ（図２）のいずれかを選択すると（ステップＳ１０６）、第１情報表示機能６の系統画面表示機能１１（図５）は、ウィンドウ２００Ｅ〜２００Ｈ（図２）の中の選択されたウィンドウに関連付けられた機器の操作画面２０４（図３）を系統画面５０内に表示させる（ステップＳ１０８）。ここでは、ウィンドウ２００Ｇが選択されている。そして、操作画面２０４（図３）を介して運転員が行う制御操作が終わると、運転員による操作に従い図２で示す画面に戻り、一連の制御動作を終了する。
【００６２】
一方で、運転員が切り替えた表示モードが保守モードである場合に（ステップＳ１０４：Ｎｏ）、運転員がウィンドウ２００Ｅ〜２００Ｈ（図２）のいずれかを選択すると（ステップＳ１１０）、第２情報表示機能９の機器情報取得機能１８Ｂ（図５）は、ウィンドウ２００Ｅ〜２００Ｈ（図２）の中の選択されたウィンドウに関連付けられた機器の番号の機器情報及び点検情報を保守サーバ−４から呼び出し、個別機器情報画面５２（図４）を表示装置５に表示させる（ステップＳ１１２）。ここでは、ウィンドウ２００Ｇが選択されている。そして、個別機器情報画面５２（図４）の確認を運転員が終えると、運転員による操作に従い図２で示す画面に戻り、一連の保守動作を終了する。  
このように、通常モードでは、系統画面５０（図２）上の状態情報２００Ａ〜２００Ｄに対応するウィンドウ２００Ｅ〜２００Ｈが選択されると、選択されたウィンドウに関連付けられた機器Ｍの運転画面２０４（図３）が表示される。一方で、保守モードでは、系統画面５０（図２）上の２００Ａ〜２００Ｄに対応するウィンドウ２００Ｅ〜２００Ｈが選択されると、選択されたウィンドウに関連付けられた機器Ｍの個別機器情報画面５２（図４）が表示される。
【００６３】
（効果）
以上のように本実施形態によれば、保守モード切替機能７により保守モードに切り替えられた場合に、表示装置５に表示される状態情報に対応する機器が運転員により選択されると、第２情報表示機能９が選択された機器に関連付けられた機器Ｍの機器情報及び点検情報を表示装置５に表示させることとした。これにより、運転員は、表示装置５に表示される状態情報に対応させて、表示装置５の画面上で機器Ｍの機器情報及び点検情報を確認することができる。このように、状態情報に対応する機器情報や点検情報が、冊子などのドキュメント内などを探さずとも、表示装置５の画面に対する選択操作により入手できる様になり、調査時間がより短縮される。  
（第１実施形態の変形例）
上述した第１実施形態においては、保守モード切替機能７は、系統画面５０内に保守モード切替えスイッチ１０２を常に表示していたが、本変形例に係る保守モード切替機能７は、制御装置２の警報処理機能２２からの入力情報を用いて、系統画面５０内に警報の出ている機器が表示されている場合に、保守モード切替えスイッチ１０２を表示させするようにしている。以下、上述した第１実施形態と異なる部分を説明する。構成は第１実施形態と同等であるのでその説明を省略する。
【００６４】
（作用）
保守モード切替機能７は、系統画面５０に表示される機器、例えば図２内のポンプ１Ａ、ポンプ１Ｂ、弁１Ａ、及び弁１Ｂのうちのいずれかに警報が出ている場合に、系統画面５０内に保守モード切替えスイッチ１０２を表示させ、赤色などの他の表示色と異なる色で保守モードのボタンを表示させる。一方で、ポンプ１Ａ、ポンプ１Ｂ、弁１Ａ、及び弁１Ｂのいずれにも警報が出ていない場合、系統画面５０内に保守モード切替えスイッチ１０２を表示させない。
【００６５】
（効果）
以上のように本変形例によれば、系統画面５０に表示される機器のいずれかに警報が出ている場合に、保守モード切替機能７が、保守モード切替えスイッチ１０２を運転員に注目させる表示形態で表示装置５の系統画面５０内に表示させることとした。これにより、系統画面５０に表示される機器のいずれかに警報が出ている場合には、運転員に、保守モードへの切り替えを促すことが可能である。
【００６６】
（第２実施形態）
上述した第１実施形態においては、プラント監視装置１内の保守モード切替機能７が、系統画面内に保守モード切替えスイッチ１０２を表示させていたが、第２実施形態においては、保守モード切替機能７が、警報画面表示機能１２が生成する警報画面内に保守モード切替えスイッチ１０２を表示させるようにしている。以下、上述した第１実施形態と異なる部分を説明する。
【００６７】
（構成）
図８は、第２実施形態に係るプラント監視制御システム１０００の構成を示すブロック図である。図５と同等の構成には同一の番号を付して説明を省略する。この図８に示すように、第２実施形態に係る保守モード切替機能７は、警報画面表示機能１２に接続され、警報画面表示機能１２が生成する警報画面内に保守モード切替えスイッチ１０２（図２）を表示させる。
【００６８】
警報画面内には、例えば異常の発生した機器Ｍ名、異常の内容、及び異常の程度の情報が機器Ｍ毎に警報項目として表示される。すなわち、警報画面には、機器Ｍの状態情報として、異常の内容、及び異常の程度の情報が警報項目として表示されている。
【００６９】
（作用）
運転員は、警報画面上の保守モード切替えスイッチ１０２（図２）により、警報画面の表示モードを通常モードまたは保守モードに切り替える。通常モードでは、警報画面上の各警報の表示を選択しても何も起こらない。
【００７０】
一方で、保守モードでは、警報画面上の警報項目が操作入力機能８を介して運転員により選択されると、選択された警報項目に対応する機器Ｍの個別機器情報画面５２（例えば図４）が個別機器情報画面表示機能１８Ｄにより表示装置５に表示される。また、選択された警報項目に対応する機器Ｍが複数ある場合、これら複数の機器Ｍの機器情報一覧画面５４（例えば図６）が機器情報一覧画面表示機能１８Ｃにより表示装置５に表示される。運転員が更に機器情報一覧画面５４内から操作入力機能８を介して選択した機器Ｍの個別機器情報画面５２が個別機器情報画面表示機能１８Ｄにより表示装置５に表示される。
【００７１】
（効果）
以上のように本実施形態によれば、保守モード切替機能７が警報画面上に保守モード切替えスイッチ１０２を表示させ、保守モード切替機能７により保守モードに切り替えられた場合に、警報項目が運転員により選択されると、第２情報表示機能９が警報項目に関連する機器Ｍの機器情報及び点検情報を表示装置５に表示させることとした。これにより、運転員は、表示装置５に表示される状態情報である警報項目に対応させて、表示装置５の画面上で機器Ｍの機器情報及び点検情報を確認することができる。これにより、警報に関する機器Ｍの機器情報および点検情報を効率的に把握できる。
【００７２】
（第３実施形態）
上述した第１実施形態においては、プラント監視装置１内の保守モード切替機能７が、系統画面５０内に保守モード切替えスイッチ１０２を表示させていたが、第３実施形態においては、保守モード切替機能７が、システム監視画面表示機能１３が生成するシステム監視画面内に保守モード切替えスイッチ１０２を表示させるようにしている。以下、上述した第１実施形態と異なる部分を説明する。
【００７３】
（構成）
図９は、第３実施形態に係るプラント監視制御システム１０００の構成を示すブロック図である。図５と同等の構成には同一の番号を付して説明を省略する。この図に示すように、第３実施形態に係る保守モード切替機能７は、システム監視画面表示機能１３に接続され、システム監視画面表示機能１３が生成するシステム監視画面内に保守モード切替えスイッチ１０２を表示させる、
（作用）
システム監視画面内には、上述のように、異常の有無を機器Ｍ毎に示す情報と、これら異常の有無を示す情報に対応する機器Ｍが表示されている。運転員は、システム監視画面上の保守モード切替えスイッチ１０２により、システム監視画面の表示モードを通常モードまたは保守モードに切り替える。通常モードでは、システム監視画面上の各機器を選択しても何も起こらない。
【００７４】
一方で、保守モードでは、異常の有無を示す情報に対応する流域が操作入力機能８を介して運転員により選択されると、選択された異常の有無を示す情報に対応する領域に関連付けられた機器の個別機器情報画面５２（例えば図４）が個別機器情報画面表示機能１８Ｄにより表示装置５に表示される。
【００７５】
（効果）
以上のように本実施形態によれば、保守モード切替機能７がシステム監視画面上に保守モード切替えスイッチ１０２を表示させ、保守モード切替機能７により保守モードに切り替えられた場合に、異常の有無を示す情報に対応する領域が運転員により選択されると、第２情報表示装置９が異常の有無を示す情報に対応する領域に関連付けられた機器の機器情報及び点検情報を表示装置５に表示させることとした。これにより、運転員は、表示装置５に表示される状態情報である異常の有無を示す情報に対応させて、表示装置５の画面上で機器の機器情報及び点検情報を確認することができる。これにより、異常の有無を示す情報に関する機器の機器情報および点検情報を効率的に把握できる。
【００７６】
（第４実施形態）
上述した第１実施形態においては、プラント監視装置１内の保守モード切替機能７が、系統画面５０内に保守モード切替えスイッチ１０２を表示させていたが、第４実施形態においては、保守モード切替機能７が、イベントログ表示機能１４が生成するイベントログ画面内に保守モード切替えスイッチ１０２を表示させるようにしている。以下、上述した第１実施形態と異なる部分を説明する。
【００７７】
（構成）
図１０は、第４実施形態に係るプラント監視制御システム１０００の構成を示すブロック図である。図５と同等の構成には同一の番号を付して説明を省略する。この図に示すように、第３実施形態に係る保守モード切替機能７は、イベントログ表示機能１４に接続され、イベントログ表示機能１４が生成すイベントログ画面内に保守モード切替えスイッチ１０２を表示させる、
（作用）
イベントログ表示機能１４は、上述のように、プラント監視制御システム１０００内で自動的に発生したイベントに加え、運転員が手動で行ったイベントが機器の状態情報に対応する領域としてイベント項目を含むイベントログ画面を表示装置５に表示させる。運転員は、イベントログ画面上の保守モード切替えスイッチ１０２により、イベントログ画面の表示モードを通常モードまたは保守モードに切り替える。通常モードでは、イベントログ画面上のイベント項目を選択しても何も起こらない。
【００７８】
一方で、保守モードでは、状態情報に対応する領域であるイベント項目が操作入力機能８を介して運転員により選択されると、選択されたイベント項目に関連付けられた機器Ｍの個別機器情報画面５２が個別機器情報画面表示機能１８Ｄにより表示装置５に表示される。  
また、選択されたイベント項目に対応する機器Ｍが複数ある場合、これら複数の機器Ｍの情報を抜粋した機器情報一覧画面５４（例えば図６）が機器情報一覧画面表示機能１８Ｃにより表示装置５に表示される。運転員が更に機器情報一覧画面５４内から操作入力機能８を介して選択した機器Ｍの個別機器情報画面５２が個別機器情報画面表示機能１８Ｄにより表示装置５に表示される。
【００７９】
（効果）
以上のように本実施形態によれば、保守モード切替機能７がイベントログ画面上に保守モード切替えスイッチ１０２を表示させ、保守モード切替機能７により保守モードに切り替えられた場合に、イベント項目に対応する機器Ｍが運転員により選択されると、第２情報表示機能９がイベント項目に対応する機器Ｍの機器情報及び点検情報を表示装置５に表示させることとした。これにより、運転員は、表示装置５に表示される状態情報であるイベント項目に対応させて、表示装置５の画面上で機器Ｍの機器情報及び点検情報を確認することができる。これにより、イベント項目に関する機器Ｍの機器情報および点検情報を効率的に把握できる。
【００８０】
（第５実施形態）
上述した第１実施形態においては、プラント監視装置１内の保守モード切替機能７が、系統画面５０内に保守モード切替えスイッチ１０２を表示させていたが、第５実施形態においては、保守モード切替機能７が、アナログトレンド表示機能１５が生成するアナログトレンド画面内に保守モード切替えスイッチ１０２を表示させるようにしている。以下、上述した第１実施形態と異なる部分を説明する。
【００８１】
（構成）
図１１は、第５実施形態に係るプラント監視制御システム１０００の構成を示すブロック図である。図５と同等の構成には同一の番号を付して説明を省略する。この図に示すように、第５実施形態に係る保守モード切替機能７は、アナログトレンド表示機能１５に接続され、アナログトレンド表示機能１５が生成すアナログトレンド画面内に保守モード切替えスイッチ１０２を表示させる。
【００８２】
（作用）
アナログトレンド画面内には、上述のように、プロセス値の時系列グラフが表示される。運転員は、アナログトレンド画面上の保守モード切替えスイッチ１０２により、アナログトレンド画面の表示モードを通常モードまたは保守モードに切り替える。通常モードでは、アナログトレンド画面上を選択すると選択した点に対応する時刻とプロセス値が表示される
一方で、保守モードでは、機器の状態情報に対応する領域であるアナログトレンド画面が操作入力機能８を介して運転員により選択されると、アナログトレンド画面に関連付けられた機器Ｍの個別機器情報画面５２が個別機器情報画面表示機能１８Ｄにより表示装置５に表示される。また、選択されたアナログトレンド画面に関する機器Ｍが複数ある場合、これら複数の機器Ｍの情報を抜粋した機器情報一覧画面５４が機器情報一覧画面表示機能１８Ｃにより表示装置５に表示される。運転員が更に機器情報一覧画面５４内から操作入力機能８を介して選択した機器Ｍの個別機器情報画面５２が個別機器情報画面表示機能１８Ｄにより表示装置５に表示される。
【００８３】
（効果）
以上のように本実施形態によれば、保守モード切替機能７がアナログトレンド画面上に保守モード切替えスイッチ１０２を表示させ、保守モード切替機能７により保守モードに切替えられた場合に、アナログトレンド画面が運転員により選択されると、第２情報表示機能がアナログトレンド画面に対応する機器Ｍの機器情報及び点検情報を表示装置５に表示させることとした。これにより、運転員は、表示装置５に表示される状態情報であるトレンドグラフに対応させて、表示装置５の画面上で機器Ｍの機器情報及び点検情報を確認することができる。これにより、トレンドグラフに関する機器Ｍの機器情報および点検情報を効率的に把握できる。
【００８４】
（第６実施形態）
上述した第１実施形態においては、プラント監視装置１内の保守モード切替機能７が、系統画面５０内に保守モード切替えスイッチ１０２を表示させていたが、第６実施形態においては、機器情報一覧画面表示機能１８Ｃが、第１情報表示機能６が生成する画面内に器情報一覧画面表示ボタンを表示させるようにしている。以下、上述した第１実施形態と異なる部分を説明する。
【００８５】
（構成）
図１２は、第６実施形態に係るプラント監視制御システム１０００の構成を示すブロック図である。図５と同等の構成には同一の番号を付して説明を省略する。図１３は、機器情報一覧画面表示機能１８Ｃ（図１２）が系統画面５０内に機器情報一覧画面表示ボタン１１２を表示させている図を示している。図１４は、機器情報一覧画面表示機能１８Ｃが生成した機器情報一覧画面５６の一例を示す図である。この図１４に示すように、本実施形態に係る機器情報一覧画面表示機能１８Ｃは、第１情報表示機能６が生成する画面内に器情報一覧画面表示ボタン１１３を表示させる。そして、機器情報一覧画面表示機能１８Ｃは、操作入力機能８を介して機器情報一覧画面表示ボタン１１３（図１３）が運転員により選択されると、プラントを構成する機器Ｍの器情報一覧画面を生成する。このように、本実施形態に係る機器情報一覧画面表示機能は、保守モード切替機能７を介さずとも機器情報一覧画面５６を生成可能である。  
（作用）    
第１情報表示機能６が生成する画面内には、機器情報一覧画面表示ボタンが表示される。運転員が、第１情報表示機能６が生成する画面上の機器情報一覧画面表示ボタンを選択すると、プラントを構成する複数の機器Ｍの機器情報一覧画面が機器情報一覧画面表示機能１８Ｃにより表示装置５に表示される。運転員が更に機器情報一覧画面５６内から操作入力機能８を介して選択した機器Ｍの個別機器情報画面５２が個別機器情報画面表示機能１８Ｄにより表示装置５に表示される。監視装置１は、機器番号をキーとして保守サーバ３に機器情報および点検情報を要求し、個別機器情報画面５２（図４）に表示する。
【００８６】
より具体的には、運転員が機器情報一覧画面５６（図１４）において操作入力機能８により機器番号を選択すると、機器情報取得機能１８Ｂが機器番号をキーとして監視装置通信機能１６を介して保守サーバ４にデータを要求する。
【００８７】
次に、保守サーバ４は、保守サーバ通信機能４３を介してプラント監視装置１からの要求を機器および点検情報入出力機能４１に出力する。続いて、機器および点検情報入出力機能４１は機器番号をキーとして、該当データを機器情報データ４０１および点検情報データ４０２から読み出し、プラント監視装置１にデータを出力する。
【００８８】
プラント監視装置１は、監視装置通信機能１６を介して保守サーバ４から受信したデータを機器情報取得機能１８Ｂに出力する。続いて、機器情報取得機能１８Ｂは機器および点検情報データ１０６にデータを格納する。
【００８９】
次に、機器情報一覧画面表示機能１８Ｃは個別機器情報画面表示機能１８Ｄに個別機器情報画面５２（図４）の表示を要求し、個別機器情報画面表示機能１８Ｄは機器および点検情報データ１０６に基づき、個別機器情報画面５２（図４）を表示する。
【００９０】
（効果）
以上のように本実施形態によれば、機器情報一覧画面表示機能１８Ｃが画面上に機器情報表示ボタン１１２を表示させ、機器情報表示ボタン１１２が運転員により選択されると、プラントを構成する数機器Ｍの機器情報一覧画面５６を表示装置５に表示させることとした。これにより、運転員は、プラントを構成する数機器Ｍを把握でき、更に機器情報一覧画面５６内から操作入力機能８を介して選択した機器Ｍの個別機器情報画面５２（図４）を表示装置５に表示させることができる。このように、機器Ｍの機器情報および点検情報を効率的に把握できる。
【００９１】
（第１実施形態乃至第６実施形態の変形例）
上述した第１実施形態乃至第６実施形態においては、機器情報一覧画面表示機能１８Ｃは、機器情報一覧画面内の各機器を同系色により表示装置５に表示させていたが、本変形例に係る機器情報一覧画面表示機能１８Ｃは、制御装置２の警報処理機能２２からの入力を用いて、機器情報一覧画面５６内の機器Ｍに警報の出ている機器がある場合に、機器情報一覧画面５６内のその機器の色を他の機器と変えて表示させるようにしている。以下、上述した第１実施形態乃至第６実施形態と異なる部分を説明する。第１実施形態乃至第６実施形態内で説明した構成と同等であるので構成の説明を省略する。
【００９２】
（作用）
機器情報一覧画面表示機能１８Ｃは、機器情報一覧画面５６に表示される機器に警報が出ている場合に、警報が出ている機器の色を他の機器の表示色と異なる色で表示装置５に表示させる。一方で、機器情報一覧画面表示機能１８Ｃは、機器情報一覧画面５６に表示される機器に警報が出ていない場合、機器情報一覧画面５６に表示される機器を同系統色で表示装置５に表示させる。
【００９３】
（効果）
以上のように本変形例によれば、機器情報一覧画面５６に表示される機器に警報が出ている場合に、機器情報一覧画面表示機能１８Ｃが、警報が出ている機器の色を他の機器の表示色と異なる色で表示装置５に表示させることとした。これにより、警報が出ている場合には、運転員に、警報が出ている機器の機器情報などを優先して確認することが可能である。
【００９４】
（第７実施形態）
（構成）
図１５は、第７実施形態に係るプラント監視制御システム１０００の構成を示すブロック図である。この図１５に示すように、第７実施形態に係るプラント監視制御システム１０００は、保守サーバ４内に、寿命ガイダンス処理機能４２を更に備える。
【００９５】
（作用）
寿命ガイダンス処理機能４２は、機器情報データ４０１および点検情報データ４０２に格納されている機器Ｍの前回交換日と現時刻から機器Ｍの使用経過日を演算する。この機器Ｍ使用経過日が閾値を超えると寿命ガイダンスをプラント監視装置１に出力する。プラント監視装置１は、寿命ガイダンスを受信すると、機器情報一覧画面５６を介してガイダンスを発報する。
【００９６】
同様に、保守サーバ４の寿命ガイダンス処理機能４２は、機器情報データ４０１および点検情報データ４０２に含まれる機器Ｍの寿命部品の前回交換日と現時刻から寿命部品の使用経過日を演算する。この寿命部品使用経過日が閾値を超えると寿命ガイダンスをプラント監視装置１に出力する。プラント監視装置１の機器情報一覧画面表示機能１８Ｃは、寿命ガイダンスを受信すると、機器情報一覧画面５６を介して寿命ガイダンスに基づく警報を発報する。
【００９７】
（効果）
以上の様に本実施形態に係るプラント監視装置１は、保守サーバ４の寿命ガイダンス処理機能４２から機器Ｍや部品の使用経過日が閾値を超えるとその機器Ｍや部品の寿命を示す寿命ガイダンスが入力され、機器情報一覧画面表示機能１８Ｃは、機器情報一覧画面５６を介して寿命が来る所定の日数前に寿命ガイダンスに基づく警報を通知することした。これにより、運転員は、機器Ｍや部品の交換を予め行うことが可能であり、不要な機器Ｍの修理、復旧作業などの発生を抑止できる。
【００９８】
なお、第１乃至第７実施形態における第１情報表示機能６は、特許請求の範囲における第１情報表示部の一例であり、第２情報表示機能９は、特許請求の範囲における第２情報表示部の一例である。
【００９９】
以上、いくつかの実施形態を説明したが、これらの実施形態は、例としてのみ提示したものであり、発明の範囲を限定することを意図したものではない。本明細書で説明した新規な装置および方法は、その他の様々な形態で実施することができる。また、本明細書で説明した装置および方法の形態に対し、発明の要旨を逸脱しない範囲内で、種々の省略、置換、変更を行うことができる。添付の特許請求の範囲およびこれに均等な範囲は、発明の範囲や要旨に含まれるこのような形態や変形例を含むように意図されている。
【符号の説明】
【０１００】
１：プラント監視装置、４：保守サーバ、５：表示装置、６：第１情報表示機能、７：保守モード切替機能、８：操作入力機能、９：第２情報表示機能、１８Ｃ：機器情報一覧画面表示機能、１０００：プラント監視制御システム
【図１】
2018194899.tif 000003
【図２】
2018194899.tif 000004
【図３】
2018194899.tif 000005
【図４】
2018194899.tif 000006
【図５】
2018194899.tif 000007
【図６】
2018194899.tif 000008
【図７】
2018194899.tif 000009
【図８】
2018194899.tif 000010
【図９】
2018194899.tif 000011
【図１０】
2018194899.tif 000012
【図１１】
2018194899.tif 000013
【図１２】
2018194899.tif 000014
【図１３】
2018194899.tif 000015
【図１４】
2018194899.tif 000016
【図１５】
2018194899.tif 000017